(57)【要約】      （修正有）【課題】携帯端末の未使用ジャックを閉塞でき、暗闇状態においても、装着の有無を確認でき、しかも携帯端末に容易に装着できる発光ダミープラグを提供する。【解決手段】携帯端末Ｙのジャック内に装着されるプラグ軸体１と、プラグ軸体１の一軸端に連結される把持体２と、把持体２に配置され、電圧印加で発光する発光体を備える。プラグ軸体１は、ジャックの第１及び第２電極端子１１Ａ、１１Ｂに電気接続される第１及び第２電極１Ａ、１Ｂを有し、発光体は第１及び第２電極１Ａ、１Ｂに電気接続され、携帯端末Ｙの蓄電によって、第１及び第２電極端子１１Ａ、１１Ｂ間に印加される電圧で発光する発光ダミープラグＸ１である。【選択図】図７
0003170874.tif 000002
【実用新案登録請求の範囲】
【請求項１】
携帯端末のジャック内に装着され、前記ジャックを閉塞するプラグ軸体と、
前記携帯端末外側に配置され、前記プラグ軸体の一軸端に連結される把持体と、
前記把持体に配置され、電圧印加で発光する発光体を備え、
前記プラグ軸体は、
前記ジャック内の装着に伴って、前記ジャックの第１及び第２電極端子に電気接続される第１及び第２電極を有し、
前記発光体は、
前記プラグ軸体の前記第１及び第２電極に電気接続され、
前記携帯端末の蓄電によって、前記ジャックの前記第１及び第２電極端子間に印加される電圧で発光する、
ことを特徴とする発光ダミープラグ。
【請求項２】
前記プラグ軸体は、
前記ジャック内の装着に伴って、前記ジャックの第２及び第３電極端子に電気接続される第２及び第３電極を有し、
前記把持体は、
前記プラグ軸体の前記第２及び第３電極に電気接続され、前記携帯端末の蓄電によって、前記ジャックの前記第２及び第３電極端子間に印加される電圧で蓄電する蓄電素子と、
前記発光体と別に配置され、前記蓄電素子に電気接続される補助発光体を有し、
前記補助発光体は、
前記蓄電素子によって、印加される電圧で発光する、
ことを特徴とする請求項１に記載の発光ダミープラグ。
【請求項３】
携帯端末のジャック内に装着され、前記ジャックを閉塞するプラグ軸体と、
前記携帯端末外側に配置され、前記プラグ軸体の一軸端に連結される把持体と、
前記把持体に配置され、電圧印加で発光する発光体を備え、
前記プラグ軸体は、
前記ジャックの第１及び第２電極端子に接続される第１及び第２電極を有し、
前記把持体は、
前記プラグ軸体の第１及び第２電極に電気接続され、前記携帯端末の蓄電によって、前記ジャックの前記第１及び第２電極端子間に印加される電圧で蓄電する蓄電素子を有し、
前記発光体は、
前記蓄電素子に電気接続され、前記蓄電素子によって、印加される電圧で発光する、
ことを特徴とする発光ダミープラグ。
【請求項４】
前記プラグ軸体及び前記把持体に一体化され、前記携帯端末の前記ジャックに電気接続されるイヤフォン又はヘッドフォンを含む音声出力器に対して、取外可能に装着される取付体を、
備えてなることを特徴とする請求項１乃至３の何れかに記載の発光ダミープラグ。
【請求項５】
前記取付体は、
前記プラグ軸体外周に装着される取付筒部と、
前記取付筒部に一体化され、前記音声出力器に対して、取外可能に装着される取付部を含んで構成され、
前記取付筒部は、
前記把持体に当接されて、前記プラグ軸体の各電極及び前記ジャックの各電極端子を電気接続可能にする、
ことを特徴とする請求項５に記載の発光ダミープラグ。
【請求項６】
携帯端末のジャック内に装着され、前記ジャックを閉塞するプラグ軸体と、
前記携帯端末外側に配置され、前記ジャック軸体の一軸端に連結される把持体と、
前記把持体に配置され、電圧印加で発光する発光体を、
備えてなることを特徴とする発光ダミープラグ。
【考案の詳細な説明】
【技術分野】
【０００１】
本考案は、携帯電話端末、携帯情報端末を含む携帯端末において、携帯端末の未使用ジャックを閉塞し、携帯端末への装着の有無を認識可能にする発光ダミープラグに関する。
【背景技術】
【０００２】
一般に、携帯電話端末、携帯情報端末を含む携帯端末においては、音声情報を入出力するフォンジャックを備えている。フォンジャックには、イヤフォン又はヘッドフォンのフォンプラグが装着され、イヤフォン又はヘッドフォンを携帯端末に電気接続する。携帯端末のフォンジャックは、未使用時、塵、埃及び湿気の侵入、蓄積による電極端子の腐蝕、接触不良を防止する必要がある。
【０００３】
塵、埃及び湿気の侵入、蓄積を防止する技術として、特許文献１は、ジャック用ダミープラグを開示する。特許文献１のジャック用ダミープラグは、勘合部、ツバ部及びツマミ部で構成され、勘合部を未使用のジャック内に装着することで、ジャックを閉塞する。
【０００４】
しかしながら、特許文献１では、夜の野外等の暗闇状態において、ジャック用ダミープラグを携帯端末に装着しているか否かを確認できず、暗闇状態では、携帯端末の未使用ジャック内にジャック用ダミープラグを装着し難いという問題がある。
【先行技術文献】
【特許文献】
【０００５】
【特許文献１】実開昭６１−７９４７１号公報
【考案の概要】
【考案が解決しようとする課題】
【０００６】
本考案は、携帯端末の未使用ジャックを閉塞でき、暗闇状態においても、未使用ジャックの装着の有無を確認でき、しかも携帯端末に容易に装着できる発光ダミープラグを提供することにある。
【課題を解決するための手段】
【０００７】
本考案に係る請求項１は、携帯端末のジャック内に装着され、前記ジャックを閉塞するプラグ軸体と、前記携帯端末外側に配置され、前記プラグ軸体の一軸端に連結される把持体と、前記把持体に配置され、電圧印加で発光する発光体を備え、前記プラグ軸体は、前記ジャック内の装着に伴って、前記ジャックの第１及び第２電極端子に電気接続される第１及び第２電極を有し、前記発光体は、前記プラグ軸体の前記第１及び第２電極に電気接続され、前記携帯端末の蓄電によって、前記ジャックの前記第１及び第２電極端子に印加される電圧で発光することを特徴とする発光ダミープラグである。
本考案に係る請求項１では、携帯端末の未使用ジャック内にプラグ軸体を装着することで、未使用ジャックを閉塞する。プラグ軸体の第１及び第２電極は、プラグ軸体の未使用ジャック内への装着に伴って、未使用ジャックの第１及び第２電極端子に電気接続される。発光体は、プラグ軸体の第１及び第２電極に電気接続されている。携帯端末の蓄電によってジャックの第１及び第２電極端子間に電圧印加すると、電流は、ジャックの第１電気端子、プラグ軸体の第１電極、発光体、プラグ軸体の第２電極及びジャックの第２電極端子に流れ、これにより、発光体は発光する。
【０００８】
本考案に係る請求項２は、前記プラグ軸体は、前記ジャック内の装着に伴って、前記ジャックの第２及び第３電極端子に電気接続される第２及び第３電極を有し、前記把持体は、前記プラグ軸体の前記第２及び第３電極に電気接続され、前記携帯端末の蓄電によって、前記ジャックの前記第２及び第３電極端子間に印加される電圧で蓄電する蓄電素子と、前記発光体と別に配置され、前記蓄電素子に電気接続される補助発光体を有し、前記補助発光体は、前記蓄電素子によって、印加される電圧で発光することを特徴とする請求項１に記載の発光ダミープラグである。
本考案に係る請求項２では、プラグ軸体の第２及び第３電極は、プラグ軸体のジャック内への装着に伴って、ジャックの第２及び第３電極端子に電気接続される。発光体は、プラグ軸体の第２及び第３電極に電気接続されている。携帯端末の蓄電によって、ジャックの第２及び第３電極端子間に電圧印加すると、電流は、ジャックの第３電極端子、プラグ軸体の第３電極、蓄電素子、発光体、プラグ軸体の第２電極及びジャックの第２電極端子に流れ、蓄電素子に蓄電される。発光体は、蓄電素子の蓄電によって印加さえる電圧で発光する。
【０００９】
本考案に係る請求項３は、携帯端末のジャック内に装着され、前記ジャックを閉塞するプラグ軸体と、前記携帯端末外側に配置され、前記プラグ軸体の一軸端に連結される把持体と、前記把持体に配置され、電圧印加で発光する発光体を備え、前記プラグ軸体は、前記ジャック内の装着に伴って、前記ジャックの第１及び第２電極端子に電気接続される第１及び第２電極を有し、前記把持体は、前記プラグ軸体の前記第１及び第２電極端子に電気接続され、前記携帯端末の蓄電によって、前記ジャックの前記第１及び第２電極端子間に印加される電圧で蓄電する蓄電素子を有し、前記発光体は、前記蓄電素子に電気接続され、前記蓄電素子によって、印加される電圧で発光することを特徴とする発光ダミープラグである。
本考案に係る請求項３では、携帯端末の未使用ジャック内にプラグ軸体を装着することで、未使用ジャックを閉塞する。プラグ軸体の第２及び第３電極は、プラグ軸体のジャック内への装着に伴って、ジャックの第２及び第３電極端子に電気接続される。発光体は、プラグ軸体の第２及び第３電極に電気接続されている。携帯端末の蓄電によって、ジャックの第２及び第３電極端子間に電圧印加すると、電流は、ジャックの第３電極端子、プラグ軸体の第３電極、蓄電素子、発光体、プラグ軸体の第２電極及びジャックの第２電極端子に流れ、蓄電素子に蓄電される。発光体は、蓄電素子の蓄電によって印加さえる電圧で発光する。
【００１０】
本考案に係る請求項４は、前記プラグ軸体及び前記把持体に一体化され、前記携帯端末の前記ジャックに電気接続されるイヤフォン又はヘッドフォンを含む音声出力器に対して、取外可能に装着される取付体を備えてなることを特徴とする請求項１乃至３の何れかに記載の発光ダミープラグである。
本考案に係る請求項４では、発光ダミープラグを携帯端末の未使用ジャック内から取外し、取付体でイヤフォン又はヘッドフォンを含む音声出力器に装着する。また、発光ダミープラグを使用するときは、音声出力器から取付体を取外し、携帯端末の未使用ジャック内に装着する。
【００１１】
本考案に係る請求項５は、前記取付体は、前記プラグ軸体外周に装着される取付筒部と、前記取付筒部に一体化され、前記音声出力器に対して取外可能に装着される取付部を含んで構成され、前記取付筒部は、前記把持体に当接されて、前記プラグ軸体の各電極及び前記ジャックの各電極端子を電気接続可能にすることを特徴とする請求項５に記載の発光ダミープラグである。
本考案に係る請求項５では、取付筒部をプラグ軸体外周に装着して、取付体をプラグ軸体及び把持体に一体化する。発光ダミープラグの未使用時、取付部を音声出力器に装着することで、プラグ軸体及び把持体を音声出力器に取外可能に取付ける。また、取付筒部を把持体に当接することで、プラグ軸体のジャック内の装着に伴って、プラグ軸体の各電極及びジャックの各電極端子を電気接続可能にする。
【００１２】
本考案に係る請求項６は、携帯端末のジャック内に装着され、前記ジャックを閉塞するプラグ軸体と、前記携帯端末外側に配置され、前記プラグ軸体の一軸端に連結される把持体と、前記把持体に配置され、電圧印加で発光する発光体を備えてなることを特徴とする発光ダミープラグである。
本考案に係る請求項６では、プラグ軸体を携帯端末の未使用ジャック内に装着することで、ジャックを閉塞する。発光体に電圧印加すると、電流が発光体を流れ、発光体は発光する。
【考案の効果】
【００１３】
本考案に係る請求項１によれば、プラグ軸体を携帯端末の未使用ジャック内に装着することで、未使用ジャックを閉塞できるので、塵、埃及び湿気が未使用ジャック内に侵入、蓄積することを防止できる。
プラグ軸体を携帯端末の未使用ジャック内に装着し、携帯端末の蓄電を利用して、発光体を発光できるので、暗闇状態であっても、発光ダミープラグを携帯端末に装着している有無を確認でき、発光体の発光によって、発光ダミープラグを容易に、携帯端末の未使用ジャック内に装着できる。
特に、携帯電話端末では、電話、電子メール着信時に連動して、ジャックの第１及び第２電極端子間に電圧印加することで、発光体を発光でき、電話等の着信を報知できる。
【００１４】
本考案に係る請求項２によれば、請求項１の効果に加えて、携帯端末の蓄電を利用して、把持体の蓄電素子に蓄電することで、発光ダミープラグを携帯端末から取外しても、蓄電素子の蓄電で補助発光体を発光でき、暗闇状態において、携帯端末の未使用ジャック内に発光ダミープラグを容易に装着できる。
【００１５】
本考案に係る請求項３によれば、プラグ軸体を携帯端末の未使用ジャック内に装着することで、未使用ジャックを閉塞できるので、塵、埃及び湿気が未使用ジャック内に侵入、蓄積することを防止できる。
携帯端末の蓄電を利用して、把持体の蓄電素子に蓄電し、蓄電素子の蓄電によって、発光体を発光できるので、暗闇状態であっても、発光ダミープラグを携帯端末に装着している有無を確認できる。また、発光ダミープラグを携帯端末から取外しても、蓄電素子の蓄電で発光体を発光でき、暗闇状態において、携帯端末の未使用ジャック内に発光ダミープラグを容易に装着できる。
特に、携帯電話端末では、電話、電子メール着信時に連動して、蓄電素子の蓄電によって、発光体を発光でき、電話等の着信を報知できる。
【００１６】
本考案に係る請求項４によれば、イヤフォン又はヘッドフォンを含む音声出力器を携帯端末のジャックに電気接続する際、発光ダミープラグは、取付体で音声出力器に取付けることができるので、発光ダミープラグを未使用ジャック内から取外して保管する必要がなく、喪失を防止できる。音声出力器をジャックから取外した後は、直に、発光ダミープラグで未使用ジャックを閉塞できる。
【００１７】
本考案に係る請求項５によれば、イヤフォン又はヘッドフォンを含む音声出力器を携帯端末のジャックに電気接続する際、発光ダミープラグは、取付体の取付部で音声出力器に取付けることができるので、発光ダミープラグを未使用ジャック内から取外して保管する必要がなく、喪失を防止できる。音声出力器をジャックから取外した後は、直に、発光ダミープラグで未使用ジャックを閉塞でき、しかもプラグ軸体の未使用ジャック内の装着に伴って、プラグ軸体の各電極及びジャックの各電極端子は電気接続されて、発光体を発光できる。
【００１８】
本考案に係る請求項６によれば、プラグ軸体を携帯端末の未使用ジャック内に装着することで、未使用ジャックを閉塞できるので、塵、埃及び湿気が未使用ジャック内に侵入、蓄積することを防止でき、発光体の発光によって、発光ダミープラグを容易に、携帯端末の未使用ジャック内の装着できる。
電圧印加で発光体を発光することで、暗闇状態であっても、発光ダミープラグを携帯端末に装着している有無を確認できる。
発光体の発光は、携帯端末の蓄電と別に、一次電池を把持体に取換可能として配置し、一次電池の電圧印加で発光できる。
特に、携帯電話端末では、電話、電子メール着信時に連動して、発光体を発光でき、電話等の着信を報知できる。
【図面の簡単な説明】
【００１９】
【図１】第１実施形態の発光ダミープラグを示す正面図である。
【図２】第１実施形態の発光ダミープラグを示す図であって、（ａ）は図１のＡ−Ａ矢視図、（ｂ）は図１のＢ−Ｂ上面断面図である。
【図３】第１実施形態の発光ダミープラグを示す図であって、図１のＣ−Ｃ正面断面図である。
【図４】第１実施形態の発光ダミープラグを示す図であって、（ａ）は図１のＤ−Ｄ断面図、（ｂ）は図１のＥ−Ｅ断面図、（ｃ）は図１のＦ−Ｆ断面図である。
【図５】携帯電話端末及びジャックを示す図であって、（ａ）は携帯電話端末を示す正面図、（ｂ）は携帯電話端末及びジャックを示す側面拡大図である。
【図６】第１実施形態の発光ダミープラグをジャック内に装着した状態で、プラグ軸体の各電極及びジャックの各電極端末を電気接続した正面図である。
【図７】第１実施形態の発光ダミープラグをジャック内に装着した状態で、発光体、プラグ軸体の各電極及びジャックの各電極端末を電気接続した正面断面図である。
【図８】第１実施形態の発光ダミープラグを、携帯電話端末に装着した状態を示す正面図である。
【図９】第２実施形態の発光ダミープラグを示す正面図である。
【図１０】第２実施形態の発光ダミープラグを示す図であって、（ａ）は図１のＧ−Ｇ矢視図、（ｂ）は図１のＨ−Ｈ断面図である。
【図１１】第２実施形態の発光ダミープラグを示す図であって、図９のＩ−Ｉ正面断面図である。
【図１２】第２実施形態の発光ダミープラグを示す図であって、図９のＰ−Ｐ正面断面図である。
【図１３】第２実施形態の発光ダミープラグをジャック内に装着した状態で、補助発光体、蓄電素子、プラグ軸体の各電極及びジャックの各電極端末を電気接続した正面断面図である。
【図１４】第２実施形態の発光ダミープラグをジャック内に装着した状態で、発光体、プラグ軸体の各電極及びジャックの各電極端末を電気接続した正面断面図である。
【図１５】第３実施形態の発光ダミープラグを示す正面図である。
【図１６】第３実施形態の発光ダミープラグを示す図であって、（ａ）は図１５のＫ−Ｋ矢視図、（ｂ）は図１５のＬ−Ｌ断面図である。
【図１７】第３実施形態の発光ダミープラグを示す図であって、図１５のＭ−Ｍ正面断面図である。
【図１８】第３実施形態の発光ダミープラグをジャック内に装着した状態で、補助発光体、蓄電素子、プラグ軸体の各電極及びジャックの各電極端末を電気接続した正面断面図である。
【図１９】第１乃至第３実施形態の発光ダミープラグにおいて、取付体の構成を示す図であって、（ａ）は正面図、（ｂ）は上面図である。
【図２０】第１乃至第３実施形態の発光ダミープラグにおいて、発光ダミープラグのプラグ軸体に取付体を装着した状態を示す正面図である。
【図２１】第１乃至図３実施形態の発光ダミープラグにおいて、発光ダミープラグ及び取付体を携帯電話端末に装着した状態を示す正面断面図である。
【図２２】発光ダミープラグ及び取付体を携帯電話端末に装着した状態を示す正面図である。
【図２３】発光ダミープラグを音声出力器に装着した状態を示す正面図である。
【考案を実施するための形態】
【００２０】
本考案に係る発光ダミープラグについて、図１乃至図２３を参照して説明する。
以下、第１乃至第３実施形態の発光ダミープラグ（Ｘ１）、（Ｘ２）、（Ｘ３）について説明する。
【００２１】
＜第１実施形態＞
第１実施形態の発光ダミープラグ（Ｘ１）、携帯端末（Ｙ）及びジャック（Ｚ）について、図１乃至図８を参照して説明する。
【００２２】
図１乃至図８において、第１実施形態の発光ダミープラグ（Ｘ１）は、携帯端末（Ｙ）の未使用ジャック（Ｚ）内に装着されて、未使用ジャック（Ｚ）を閉塞する。第１実施形態の発光ダミープラグ（Ｘ１：以下「発光ダミープラグ（Ｘ１）」と称する）は、携帯端末（Ｙ）の蓄電によって、印加する電圧で発光体（３）を発光する。
発光ダミープラグ（Ｘ１）は、図１乃至図４に示すように、プラグ軸体（１）、把持体（２）及び発光体（３）を備えている。
【００２３】
プラグ軸体（１）は、携帯端末（Ｙ）の未使用ジャック（Ｚ）内に装着され、未使用ジャック（Ｚ）を閉塞する（図６及び図７参照）。
プラグ軸体（１）は、ステンレス鋼等の導電性材及び合成樹脂、合成ゴム等の電気絶縁性材で構成され、複数の電極である第１〜第４電極（１Ａ）、（１Ｂ）、（１Ｃ）、（１Ｄ）を有している。第１〜第４電極（１Ａ）〜（１Ｄ）は、ジャック（Ｚ）の第１〜第４電極端子（１１Ａ）、（１１Ｂ）、（１１Ｃ）、（１１Ｄ）に対応して電気接続される（図６及び図７参照）。
プラグ軸体（１）は、スリーブ体（Ｓ）、第１及び第２リング体（Ｒ１）、（Ｒ２）、チップ軸体（Ｔ）及び電気絶縁材（１ａ）、（１ｂ）、（１ｃ）で構成され、第１〜第４電極（１Ａ）〜（１Ｄ）を形成する。
【００２４】
スリーブ体（Ｓ）は、ステンレス鋼等の導電性材によって、外径（ｄ）の円筒状に形成され、第３電極（１Ｃ）を構成する。
【００２５】
第１リング体（Ｒ１）は、ステンレス鋼等の導電性材で円筒状に形成され、第１リング（Ｒ１ａ）及び第１延長リング（Ｒ１ｂ）で構成される。第１リング（Ｒ１ａ）は、スリーブ体（Ｓ）の外径（ｄ）と同一外径（ｄ）に形成され、第１延長リング（Ｒ１ｂ）と一体形成される。第１延長リング（Ｒ１ｂ）は、第１リング（Ｒ１ａ）の一軸端から縮径されて、軸方向（Ｊ）に延設されている。
第１リング体（Ｒ１）は、第１延長リング（Ｒ１ｂ）をスリーブ体（Ｓ）の一軸端からスリーブ体（Ｓ）内に挿通している。第１延長リング（Ｒ１ｂ）は、スリーブ体（Ｓ）の両軸端間に配置され、第１リング（Ｒ１ａ）は、スリーブ体（Ｓ）の一軸端に対峙され、第２電極（１Ｂ）を構成している。
【００２６】
第２リング体（Ｒ２）は、ステンレス鋼等の導電性材で円筒状に形成され、第２リング（Ｒ２ａ）及び第２延長リング（Ｒ２ｂ）で構成される。第２リング（Ｒ２ａ）は、スリーブ体（Ｓ）の外径（ｄ）と同一外径（ｄ）に形成され、第２延長リング（Ｒ２ｂ）と一体形成される。第２延長リング（Ｒ２ｂ）は、第２リング（Ｒ２ａ）の一軸端から縮径されて、軸方向（Ｊ）に延設されている。
第２リング体（Ｒ２）は、第２延長リング（Ｒ２ｂ）を第１リング（Ｒ１ａ）の他軸端から第１リング体（Ｒ１）内に挿通している。第２延長リング（Ｒ２ｂ）は、第１リング体（Ｒ１）の両軸端間に配置され、第２リング（Ｒ２ａ）は、第１リング（Ｒ１ａ）の他軸端に対峙され、第４電極（１Ｄ）を構成している。
【００２７】
チップ軸体（Ｔ）は、ステンレス鋼等の導電性材で円軸状（円柱状）に形成され、チップ軸（Ｔ１）及び延長チップ軸（Ｔ２）で構成される。チップ軸（Ｔ１）は、スリープ体（Ｓ）の外径（ｄ）、第１及び第２リング体（Ｒ１）、（Ｒ２）の外径（ｄ）より小径に形成され、延長チップ軸（Ｔ２）と一体形成される。チップ軸（Ｔ１）の一軸端側は、テーパ状に形成される。延長チップ軸（Ｔ２）は、チップ軸（Ｔ１）の他軸端から縮径されて、軸方向（Ｊ）に延設されている。
チップ軸体（Ｔ）は、延長チップ軸（Ｔ２）を第２リング（Ｒ２ａ）の他軸端から第２リング体（Ｒ２）内に挿通している。延長チップ軸（Ｔ２）は、第２リング（Ｒ２）の両軸端間に配置され、チップ軸（Ｔ１）は、第２リング（Ｒ２ａ）の他軸端に対峙され、第１電極（１Ａ）を構成している。
【００２８】
電気絶縁材（１ａ）は、第１リング体（Ｒ１）の第１リング（Ｒ１ａ）の一軸端、及びスリーブ体（Ｓ）の他軸端間に配置される。電気絶縁材（１ａ）は、軸方向（Ｊ）において、スリーブ体（Ｓ）内周及び第１延長リング（Ｒ１ｂ）外周の間に配置され、スリーブ体（Ｓ）の一軸端及び第１リング（Ｒ１ａ）の一軸端間に配置される。
これにより、電気絶縁材（１ａ）は、スリーブ体（Ｓ）及び第１リング体（Ｒ１）を電気絶縁して、第２電極（１Ｂ）及び第３電極（１Ｃ）も電気絶縁する。
【００２９】
電気絶縁材（１ｂ）は、第２リング体（Ｒ１）の第２リング（Ｒ２ａ）の一軸端、及び第１リング体（Ｒ１）の第１延長リング（Ｒ１ｂ）の他軸端間に配置される。電気絶縁材（１ｂ）は、第１スリーブ体（Ｒ１）内周及び第２延長リング（Ｒ２ｂ）外周の間に配置され、第１リング（Ｒ１ａ）の他軸端及び第２リング（Ｒ２ａ）の一軸端間に配置される。
これにより、電気絶縁材（１ｂ）は、第１リング体（Ｒ１）及び第２リング体（Ｒ２）を電気絶縁して、第２電極（１Ｂ）及び第４電極（１Ｄ）も電気絶縁する。
【００３０】
電気絶縁材（１ｃ）は、チップ軸（Ｔ１）の他軸端、及び第２リング体（Ｒ２）の第２延長リング（Ｒ２ｂ）の他軸端間に配置される。電気絶縁材（１ｃ）は、第２スリーブ体（Ｒ２）内周及び延長チップ軸（Ｔ２）外周の間に配置され、チップ軸（Ｔ１）の他軸端及び第２リング（Ｒ２ａ）の他軸端間に配置される。
これにより、電気絶縁材（１ｃ）は、第２リング体（Ｒ２）及びチップ軸（Ｔ）を電気絶縁して、第４電極（１Ｄ）及び第１電極（１Ａ）も電気絶縁する。
【００３１】
発光ダミープラグ（Ｘ１）において、把持体（２）は、携帯端末（Ｙ）外側に配置され、プラグ軸体（１）の一軸端であって、スリーブ体（Ｓ）側［スリーブ体（Ｓ）の他軸端］に連結される。
把持体（２）は、合成樹脂等の光透過性材で透明又は半透明に形成され、閉塞板部（２Ａ）及び発光収納部（２Ｂ）を備えている。なお、透明又は半透明は、有色透明又は有色半透明を含む。
【００３２】
閉塞板部（２Ａ）は、例えば、円形板状に形成され、携帯端末（Ｙ）外装（Ｙ１）に当接され、外装（Ｙ１）のジャック開口（Ｙ１ｂ）を閉塞する（図６及び図７参照）。閉塞板部（２Ａ）は、図３に示すように、プラグ軸体（１）において、スリーブ体（Ｓ）の他軸端側に連結、固定され、プラグ軸体（１）のスリーブ体（１）、第１及び第２延長リング（Ｒ１ｂ）、（Ｒ２ｂ）及び延長チップ軸（Ｔ２）は、軸方向（Ｊ）において、閉塞板部（２Ａ）を挿通して発光収納部（２Ｂ）内に突出される。
【００３３】
発光収納部（２Ｂ）は、一軸端閉鎖の円筒状に形成され、軸方向（Ｊ）において、プラグ軸体（１）のスリーブ体（Ｓ）、第１及び第２リング（Ｒ１ｂ）、（Ｒ２ｂ）及び延長チップ軸（Ｔ２）を収納して、閉塞板部（２Ａ）に取付けられる。
発光収納部（２Ｂ）の開口端は、閉塞板部（２Ａ）で閉鎖され、発光収納空間（ＳＳ）を形成している。発光収納部（２Ｂ）は、使用者の手指で十分に掴める寸法を持って、閉塞板部（２Ａ）から軸方向（Ｊ）に延設されている。
【００３４】
把持体（２）において、閉鎖板部（２Ａ）及び発光収納部（２Ｂ）で形成する外装形状は、装飾処理（デザイン処理）を施した立体形状を採用できる。例えば、把持体（２）を装飾把持体として、動植物、食品、又はドクロ、十字架等の立体形状にする。
【００３５】
発光ダミープラグ（Ｘ１）において、発光体（３）は、図２（ｂ）及び図３に示すように、把持体（２）に配置され、電圧印加で発光する。
発光体（３）は、１又は複数の発光素子（３Ａ）、及び回路基板（３Ｂ）を備え、発光素子（３Ａ）は、電圧印加で発光する発光ダイオード等で構成される。発光素子（３Ａ）は、回路基板（３Ｂ）に電気接続される。
【００３６】
発光素子（３Ａ）及び回路基板（３Ｂ）は、発光収納部（２Ｂ）の発光収納空間（ＳＳ）内に収納され、閉塞板部（２Ａ）側に固定されている。
回路基板（３Ｂ）は、図３に示すように、プラグ軸体（１）の第１延長リング（Ｒ１ａ）及び延長チップ軸（Ｔ２）に電気接続され、発光素子（３Ａ）の電極端子（３ａ）、（３ｂ）をプラグ軸体（１）の第１電極（１Ａ）及び第２電極（１Ｂ）に電気接続している。
発光体（３）の発光素子（３Ａ）は、図３に示すように、回路基板（３Ｂ）、延長チップ軸（Ｔ２）を通してチップ軸（Ｔ１）である第１電極（１Ａ）に電気接続され、回路基板（３Ｂ）、第１延長リング（Ｒ１ｂ）を通して第１リング（Ｒ１ａ）である第２電極（１Ｂ）に電気接続される。これにより、発光体（３）は、プラグ軸体（１）の複数の電極（１Ａ）〜（１Ｄ）のうち、２つの電極、例えば第１及び第２電極（１Ａ）、（１Ｂ）に電気接続される。
【００３７】
図５乃至図７において、携帯端末（Ｙ）は、例えば携帯電話端末で構成される（以下「携帯電話端末（Ｙ）」と称する）。なお、携帯端末としては、携帯情報端末、携帯ゲーム端末、携帯オーディオ端末、携帯映像端末等を採用できる。
【００３８】
携帯電話端末（Ｙ）は、端末本体（ＹＡ）を備え、端末本体（ＹＡ）は薄厚、矩形状に形成され、外装体（Ｙ１）で被覆される。
携帯電話端末（Ｙ）の端末本体（ＹＡ）は、図５に示すように、制御装置及び電源制御回路（図示しない）、蓄電素子（１４）、液晶ディスプレイ（１５）及びジャック（Ｚ）を備えている。
蓄電素子（１４）は、例えば、リチウムイオン二次電池等で構成され、端末本体（ＹＡ）内に設置される。蓄電素子（１４）は、端末本体（ＹＡ）内に設置される制御装置及び電源制御回路（図示しない）に電気接続され、ジャック（Ｚ）に電気接続されている。
液晶ディスプレイ（１５）は、端末本体（ＹＡ）表側平面（Ｙ１ｃ）に配置される。
端末本体（ＹＡ）の外装体（Ｙ１）は、端末本体（ＹＡ）の液晶ディスプレイ（１５）を配置する液晶用窓（Ｙａ）、及びジャック（Ｚ）を収納するジャック用開口（Ｙｂ）を有している。ジャック用開口（Ｙｂ）は、外装体（Ｙ１）の上側平面（Ｙ１ｄ）に形成されている。
【００３９】
ジャック（Ｚ）は、例えば、イヤフォン又はヘッドフォンを含む音声出力器を携帯電話端末（Ｙ）に電気接続するフォンジャックである。
ジャック（Ｚ）は、図５に示すように、携帯電話端末（Ｙ）において、外装体（Ｙ１）のジャック用開口（Ｙｂ）から端末本体（ＹＡ）内に設置される。ジャック（Ｚ）は、図６に示すように、複数の電極端子である第１〜第４電極端子（１１Ａ）、（１１Ｂ）、（１１Ｃ）、（１１Ｄ）を有している。第１〜第４電極端子（１１Ａ）〜（１１Ｄ）は、電源制御回路、制御装置等、及び蓄電素子（１４）に電気接続され、第２電極端子（１１Ｂ）はグランド電極端子として接地されている。
【００４０】
第１電極端子（１１Ａ）は、ステンレス鋼等の導電性材で板バネ状に形成され、軸方向（Ｊ）に延設されて、プラグ軸体（１）のチップ軸（Ｔ１）に圧接される。第１電極端子（１１Ａ）は、プラグ軸体（１）の第１電極（１Ａ）に電気接続される。
第２電極端子（１１Ｂ）は、ステンレス鋼等の導電性材で板バネ状に形成され、軸方向（Ｊ）に延設されて、プラグ軸体（１）の第１リング（Ｒ１ａ）に圧接される。第２電極端子（１１Ｂ）は、プラグ軸体（１）の第２電極（１Ｂ）に電気接続される。
第３電極端子（１１Ｃ）は、ステンレス鋼等の導電性材で円筒状に形成され、外装体（Ｙ１）のジャック用開口（Ｙｂ）内に配置されている。第３電極端子（１１Ｃ）は、プラグ軸体（１）の第３電極（１Ｃ）に電気接続される。
第４電極端子（１１Ｄ）は、ステンレス鋼等の導電性材で板バネ状に形成され、軸方向（Ｊ）に延設されて、プラグ軸（１）の第２リング（Ｒ２ａ）に圧接される。
【００４１】
上記構成の発光ダミープラグ（Ｘ１）は、図６乃至図８に示すように、携帯電話端末（Ｙ）の未使用ジャック（Ｚ）に装着され、未使用ジャック（Ｚ）を閉塞する。
【００４２】
発光ダミープラグ（Ｘ１）の装着は、図６及び図７に示すように、携帯電話端末（Ｙ）において、プラグ軸体（１）を外装体（Ｙ１）のジャック用開口（Ｙｂ）からジャック（Ｚ）内に装着する。
プラグ軸体（１）は、ジャック（Ｚ）の第３電極端子（１１Ｃ）内に挿通され、チップ軸体（Ｔ）のチップ軸（Ｔ１）は、ジャック（Ｚ）内の装着に伴って、第１電極端子（１１Ａ）に圧接される。第２リング体（Ｒ２）の第２リング（Ｒ２ａ）は、ジャック（Ｚ）内の装着に伴って、第４電極端子（１１Ｄ）に圧接され、第１リング体（Ｒ１）の第１リング（Ｒ１ａ）は、ジャック（Ｚ）内の装着に伴って、第２電極端子（１１Ｂ）に圧接される。スリーブ体（Ｓ）は、ジャック（Ｚ）内の装着に伴って、第３電極端子（１１Ｃ）内周に当接される。
これにより、プラグ軸体（１）は、ジャック（Ｚ）の第１〜第４電極端子（１１Ａ）〜（１１Ｄ）で保持され、ジャック（Ｚ）を閉塞する。
プラグ軸体（１）において、第１電極（１Ａ）は、ジャック（Ｚ）内の装着に伴って、第１電極端子（１１Ａ）に電気接続され、第２電極（１Ｂ）は第２電極端子（１１Ｂ）に電気接続される。これにより、発光体（３）において、発光素子（３）の両電極端子（３ａ）、（３ｂ）は、回路基板（３Ｂ）、第１電極（１Ａ）、第２電極（１Ｂ）を通して、ジャック（Ｚ）の第１及び第２電極端子（１１Ａ）、（１１Ｂ）に電気接続される。
【００４３】
把持体（２）は、プラグ軸体（１）の装着に伴って、閉塞板部（２Ａ）を端末本体（ＹＡ）外側から外装体（Ｙ１）に当接させて、外装体（Ｙ１）のジャック用開口（Ｙｂ）を閉鎖する。このとき、把持体（２）の発光収納部（２Ｂ）は、図６乃至図８に示すように、携帯電話端末（Ｙ）外側に配置され、携帯電話端末（Ｙ）の使用者による視認を可能にする。
発光ダミープラグ（Ｘ１）では、プラグ軸体（１）でジャック（Ｚ）を閉塞し、把持体（２）で外装体（Ｙ１）のジャック用開口（Ｙｂ）を閉鎖するので、未使用ジャック（Ｚ）内又は外装体（Ｙ１）のジャック用開口（Ｙｂ）内に埃、塵及び湿気が侵入して蓄積することを防止できる。
【００４４】
発光ダミープラグ（Ｘ１）を未使用ジャック（Ｚ）内に装着すると、発光体（３）の発光素子（３Ａ）は、ジャック（Ｚ）の第１及び第２電極端子（１１Ａ）、（１１Ｂ）を通して、携帯電話端末（Ｙ）の電源制御回路、制御装置（図示しない）、蓄電素子（１４）に電気接続される。
携帯電話端末（Ｙ）において、例えば、制御装置は、蓄電素子（１４）の蓄電によって、ジャック（Ｚ）の第１及び第２電極端子（１１Ａ）、（１１Ｂ）間に電圧を印加する。
第１及び第２電極端子（１１Ａ）、（１１Ｂ）間に電圧を印加すると、第１電極端子（１１Ａ）、第１電極（１Ａ）、回路基板（３Ｂ）、発光素子（３Ａ）、第２電極（１Ｂ）及び第２電極端子（１１Ｂ）に電流が通流し、発光体（３）の発光素子（３Ａ）は発光する。これにより、発光体（３）の発光素子（３）は、ジャック（Ｚ）の第１及び第２電極端子（１１Ａ）、（１１Ｂ）間に印加される電圧で発光する。
発光ダミープラグ（Ｘ１）では、プラグ軸体（１）をジャック（Ｚ）内に装着することで、発光体（３）の発光素子（３Ａ）を発光でき、携帯電話端末（Ｙ）の使用者は、発光素子（３Ａ）の発光を把持体（２）の発光収納部（２Ｂ）を通して認識する。
【００４５】
上記構成の発光ダミープラグ（Ｘ１）によれば、プラグ軸体（１）を未使用ジャック（Ｚ）内に装着することで、未使用ジャック（Ｚ）を閉塞できるので、塵、埃及び湿気が未使用ジャック（Ｚ）内に侵入、蓄積することを防止できる。
プラグ軸体（１）を未使用ジャック（Ｚ）内に装着し、携帯電話端末（Ｙ）の蓄電を利用して、発光体（３）の発光素子（３Ａ）を発光できるので、暗闇状態であっても、発光ダミープラグ（Ｘ１）を携帯電話端末（Ｙ）に装着している有無を確認でき、発光体（３）の発光素子（３Ａ）の発光によって、発光ダミープラグ（Ｘ１）を容易に、携帯電話端末（Ｙ）の未使用ジャック（Ｚ）内に装着できる。
【００４６】
＜第２実施形態＞
次に、第２実施形態の発光ダミープラグ（Ｘ２）について、図９乃至図１４を参照して説明する。なお、図９乃至図１４において、図１乃至図８と同一符号は、同一構成、部材を示すので、詳細な説明は省略する。
【００４７】
図９乃至図１２において、第２実施形態の発光ダミープラグ（Ｘ２）は、帯端末（Ｙ）の未使用ジャック（Ｚ）内に装着されて、未使用ジャック（Ｚ）を閉塞する。第２実施形態の発光ダミープラグ（Ｘ２）は、携帯端末（Ｙ）の蓄電によって、印加する電圧で発光体（３）及び補助発光体（５）を発光する。
第２実施形態の発光ダミープラグ（Ｘ２）は、第１実施形態の発光ダミープラグ（Ｘ１）と同一構成のプラグ軸体（１）、把持体（２）及び発光体（３）を備えている。
第２実施形態の発光ダミープラグ（Ｘ２：以下「発光ダミープラグ（Ｘ２）」と称する）において、把持体（２）は、発光体（３）と別体に配置される補助発光体（５）、及び蓄電素子（６）を有している。
【００４８】
補助発光体（５）は、図１０及び図１１に示すように、１又は複数の発光素子（５Ａ）及び回路基板（５Ｂ）を備え、発光素子（５Ａ）は電圧印加で発光する発光ダイオード等で構成される。発光素子（５Ａ）は、回路基板（５Ｂ）に電気接続される。
【００４９】
発光素子（５Ａ）及び回路基板（５Ｂ）は、図１０及び図１１に示すように、発光収納部（２Ｂ）の発光収納空間（ＳＳ）内に収納され、発光体（３）の発光素子（３Ａ）及び回路基板（３Ｂ）に並設されている。発光素子（５Ａ）及び回路基板（５Ｂ）は、把持体（２）の閉塞板部（２Ａ）側に固定されている。回路基板（５Ｂ）は、スリーブ体（Ｓ）及び第１リング体（Ｒ１）の第１延長リング（Ｒ１ｂ）に電気接続されている。
【００５０】
蓄電素子（６）は、図１０及び図１１に示すように、把持体（２）の発光収納空間（ＳＳ）内に収納され、補助発光体（５）の回路基板（５Ｂ）に電気接続されている。蓄電素子（６）としては、例えば、コンデンサ等で構成できる。
蓄電素子（６）は、回路基板（５Ｂ）を通して、補助発光体（５）の発光素子（５Ａ）の両電極端子（５ａ）、（５ｂ）に電気接続されている。蓄電素子（６）は、回路基板（５Ｂ）を通して、プラグ軸体（１）のスリーブ体（Ｓ）及び第１リング体（Ｒ１）の第１延長リング（Ｒ１ｂ）に電気接続されている。
【００５１】
補助発光体（５）において、発光素子（５Ａ）の両電極端子（５ａ）、（５ｂ）は、回路基板（５Ｂ）を通して、蓄電素子（６）に電気接続され、更に、蓄電素子（６）、回路基板（５Ｂ）、プラグ軸体（１）のスリーブ体（Ｓ）及び第１リング体（Ｒ１）を通して、第２電極（１１Ｂ）及び第３電極（１１Ｃ）に電気接続される。これにより、補助発光体（５）及び蓄電素子（６）は、プラグ軸体（１）の複数の電極（１Ａ）〜（１Ｄ）のうち、２つの電極、例えば第２及び第３電極（１Ｂ）、（１Ｃ）に電気接続され、第２電極（１Ｂ）を発光体（３）と兼用している。
【００５２】
発光ダミープラグ（Ｘ２）において、発光体（３）の発光素子（３Ａ）は、図１２に示すように、回路基板（３Ｂ）、プラグ軸体（１）のチップ軸（Ｔ）及び第１リング体（Ｒ１）を通して、第１電極（１１Ａ）及び第２電極（１１Ｂ）に電気接続される。
【００５３】
上記構成の発光ダミープラグ（Ｘ２）は、携帯電話端末（Ｙ）の未使用ジャック（Ｚ）に装着され、未使用ジャック（Ｚ）を閉塞する。
【００５４】
発光ダミープラグ（Ｘ２）の装着は、図８、図１３及び図１４に示すように、携帯電話端末（Ｙ）において、プラグ軸体（１）を外装体（Ｙ１）のジャック用開口（Ｙｂ）からジャック（Ｚ）内に装着する。
プラグ軸体（１）は、ジャック（Ｚ）の第３電極端子（１１Ｃ）内に挿通されて、チップ軸体（Ｔ）のチップ軸（Ｔ１）は、ジャック（Ｚ）内の装着に伴って、第１電極端子（１１Ａ）に圧接される。第２リング体（Ｒ２）の第２リング（Ｒ２ａ）は、ジャック（Ｚ）内の装着に伴って、第４電極端子（１１Ｄ）に圧接され、第１リング体（Ｒ１）の第１リング（Ｒ１ｂ）は、ジャック（Ｚ）内の装着に伴って、第２電極端子（１１Ｂ）に圧接される。スリーブ体（Ｓ）は、ジャック（Ｚ）内の装着に伴って、第３電極端子（１１Ｃ）内周に当接される。
これにより、プラグ軸体（１）は、ジャック（Ｚ）の第１〜第４電極端子（１１Ａ）〜（１１Ｄ）で保持され、ジャック（Ｚ）を閉塞する。
【００５５】
プラグ軸体（１）において、第１電極（１Ａ）は、ジャック（Ｚ）内の装着に伴って、第１電極端子（１１Ａ）に電気接続され、第２電極（１Ｂ）は第２電極端子（１１Ｂ）に電気接続され、更に第３電極（１Ｃ）は第３電極端子（１１Ｃ）に電気接続される。
これにより、発光体（３）において、発光素子（３Ａ）の両電極端子（３ａ）、（３ｂ）は、回路基板（３Ｂ）、第１電極（１Ａ）、第２電極（１Ｂ）を通して、ジャック（Ｚ）の第１及び第２電極端子（１１Ａ）、（１１Ｂ）に電気接続される（図１４参照）。
補助発光体（５）において、蓄電素子（６）は、回路基板（５Ｂ）、第２電極（１Ｂ）、第３電極（１Ｃ）を通して、ジャック（Ｚ）の第２及び第３電気端子（１１Ｂ）、（１１Ｃ）に電気接続される。補助発光体（５）の発光素子（５Ａ）は、回路基板（５Ｂ）、蓄電素子（６）、第２電極（１Ｂ）、第３電極（１Ｃ）を通して、ジャック（Ｚ）の第２及び第３電極端子（１１Ｂ）、（１１Ｃ）に電気接続される（図１３参照）。
【００５６】
把持体（２）は、プラグ軸体（１）の装着に伴って、閉塞板部（２Ａ）を端末本体（ＹＡ）外側から外装体（Ｙ１）に当接させて、外装体（Ｙ１）のジャック用開口（Ｙｂ）を閉鎖する。このとき、把持体（２）の発光収納部（２Ｂ）は、図８、図１３及び図１４に示すように、携帯電話端末（Ｙ）外側に配置され、携帯電話端末（Ｙ）の使用者による視認を可能にする。
発光ダミープラグ（Ｘ２）では、プラグ軸体（１）でジャック（Ｚ）を閉塞し、把持体（２）で外装体（Ｙ１）のジャック用開口（Ｙｂ）を閉鎖するので、未使用ジャック（Ｚ）内又はジャック用開口（Ｙｂ）内に埃、塵及び湿気が侵入して蓄積することを防止できる。
【００５７】
発光ダミープラグ（Ｘ２）を未使用ジャック（Ｚ）内に装着すると、発光体（３）の発光素子（３Ａ）は、図１４に示すように、ジャック（Ｚ）の第１及び第２電極端子（１１Ａ）、（１１Ｂ）を通して、携帯電話端末（Ｙ）の電源制御回路、制御装置、蓄電素子（１４）に電気接続される。
補助発光体（５）の蓄電素子（６）は、図１３に示すように、ジャック（Ｚ）の第２及び第３電極端子（１１Ｂ）、（１１Ｃ）を通して、携帯電話端末（Ｙ）の電源制御回路、制御装置、蓄電素子（１４）に電気接続される。
携帯電話端末（Ｙ）において、例えば、制御装置は、蓄電素子（１４）の蓄電によって、ジャック（Ｚ）の第１及び第２電極端子（１１Ａ）、（１１Ｂ）間に電圧を印加し、第２及び第３電極端子（１１Ｂ）、（１１Ｃ）間に電圧を印加する。
第１及び第２電極端子（１１Ａ）、（１１Ｂ）間に電圧を印加すると、第１電極端子（１１Ａ）、第１電極（１Ａ）、回路基板（３Ｂ）、発光素子（３Ａ）、第２電極（１Ｂ）及び第２電極端子（１１Ｂ）に電流が通流し、発光体（３）の発光素子（３Ａ）は発光する。これにより、発光体（３）の発光素子（３Ａ）は、ジャック（Ｚ）の第１及び第２電極端子（１１Ａ）、（１１Ｂ）間に印加される電圧で発光する。
第２及び第３電極端子（１１Ｂ）、（１１Ｃ）間に電圧を印加すると、第２電極端子（１１Ｂ）、第２電極（１Ｂ）、回路基板（５Ｂ）、蓄電素子（６）、発光素子（５Ａ）、第３電極（１Ｃ）、第３電極端子（１１Ｃ）に電流が通流し、蓄電素子（６）は蓄電し、発光素子（５Ａ）は蓄電素子（６）によって、印加される電圧で発光する。
発光ダミープラグ（Ｘ２）では、プラグ軸体（１）をジャック（Ｚ）内に装着すると、発光素子（３Ａ）、（５Ａ）を発光でき、携帯電話端末（Ｙ）の使用者は、発光素子（３Ａ）、（５Ａ）の発光を把持体（２）の発光収納部（５Ｂ）を通して認識する。
発光ダミープラグ（Ｘ２）を携帯電話端末（Ｙ）から取外しても、蓄電素子（６）の蓄電によって、補助発光体（５）の発光素子（５Ａ）を発光できる。
【００５８】
上記構成の発光ダミープラグ（Ｘ２）によれば、携帯電話端末（Ｙ）のの蓄電素子（１４）の蓄電を利用して、把持体（２）の蓄電素子（６）に蓄電することで、発光ダミープラグ（Ｘ２）を携帯端末端末（Ｙ）から取外しても、蓄電素子（６）の蓄電で補助発光体（５）の発光素子（５Ａ）を発光でき、暗闇状態において、未使用ジャック（Ｚ）内に発光ダミープラグ（Ｘ２）を容易に装着できる。
【００５９】
＜第３実施形態＞
次に、第３実施形態の発光ダミープラグ（Ｘ３）について、図１５乃至図１８を参照して説明する。なお、図１５乃至図１８において、図１乃至図１４と同一符号は、同一構成、部材を示すので、詳細な説明は省略する。
【００６０】
図１５乃至図１７において、第３実施形態の発光ダミープラグ（Ｘ３）は、携帯端末（Ｙ）の未使用ジャック（Ｚ）内に装着されて、未使用ジャック（Ｚ）を閉塞する。第３実施形態の発光ダミープラグは、携帯端末（Ｙ）の蓄電によって、印加する電圧で発光体（５）を発光する。
第３実施形態の発光ダミープラグ（Ｘ３）は、第１実施形態の発光ダミープラグ（Ｘ１）と同一構成のプラグ軸体（１）及び把持体（２）を備えている。
第３実施形態の発光ダミープラグ（Ｘ３）は、第２実施形態の発光ダミープラグ（Ｘ２）と同一構成の補助発光体（５）及び蓄電素子（６）を備えている。なお、第３実施形態の発光ダミープラグ（Ｘ３）において、補助発光体（５）を発光体（５）と称して説明する。
【００６１】
第３実施形態の発光ダミープラグ（Ｘ３：以下「発光ダミープラグ（Ｘ３）」と称する）において、発光体（５）は、把持体（２）に配置され、電圧印加で発光する。
発光体（５）は、図１６（ｂ）及び図１７に示すように、１又は複数の発光素子（５Ａ）及び回路基板（５Ｂ）で構成され、発光素子（５Ａ）は電圧印加で発光する発光ダイオード等で構成される。発光素子（５Ａ）は、回路基板（５Ｂ）に電気接続される。
発光素子（５Ａ）及び回路基板（５Ｂ）は、発光収納部（２Ｂ）の発光収納空間（ＳＳ）内に収納され、閉塞板部（２Ｂ）側に固定されている。
回路基板（５Ｂ）は、図１７に示すように、チップ軸体（Ｔ）の延長チップ軸（Ｔ２）及び第１リング体（Ｒ１）の第１延長リング（Ｒ１ａ）に電気接続されている。
【００６２】
蓄電素子（６）は、図１６（ｂ）及び図１７に示すように、把持体（２）の発光収納空間（ＳＳ）内に収納され、回路基板（５Ｂ）に電気接続されている。
蓄電素子（６）は、回路基板（５Ｂ）を通して、発光体（５）の発光素子（５Ａ）の両電極端子（５ａ）、（５ｂ）に電気接続されている。蓄電素子（６）は、回路基板（５Ｂ）を通して、チップ軸体（Ｔ）の延長チップ軸（Ｔ２）及び第１リング体（Ｒ１）の第１延長リング（Ｒ１ａ）に電気接続されている。
【００６３】
発光体（５）において、発光素子（５Ａ）の両電極端子（５ａ）、（５ｂ）は、回路基板（５Ｂ）を通して、蓄電素子（６）に電気接続され、更に、蓄電素子（６）、回路基板（５Ｂ）、チップ軸（Ｔ）及び第１リング体（Ｒ１）を通して、第１及び第２電極（１Ａ）、（１Ｂ）に電気接続される。これにより、発光体（５）及び蓄電素子（６）は、プラグ軸体（１）の複数の電極（１Ａ）〜（１Ｄ）のうち、２つの電極、例えば第１及び第２電極（１Ａ）、（１Ｂ）に電気接続される。
【００６４】
上記構成の発光ダミープラグ（Ｘ３）は、図８及び図１８に示すように、携帯電話端末（Ｙ）の未使用ジャック（Ｚ）に装着され、未使用ジャック（Ｚ）を閉塞する。
【００６５】
発光ダミープラグ（Ｘ３）の装着は、図１８に示すように、携帯電話端末（Ｙ）において、プラグ軸体（１）を外装体（Ｙ１）のジャック用開口（Ｙｂ）からジャック（Ｚ）内に装着する。
【００６６】
プラグ軸体（１）は、ジャック（Ｚ）の第３電極端子（１１Ｃ）内に挿通されて、チップ軸体（Ｔ）のチップ軸（Ｔ２）は、ジャック（Ｚ）内の装着に伴って、第１電極端子（１１Ａ）に圧接される。第２リング体（Ｒ２）の第２リング（Ｒ２ａ）は、ジャック（Ｚ）内の装着に伴って、第４電極端子（１１Ｄ）に圧接され、第１リング体（Ｒ１）の第１リング（Ｒ１ｂ）は、ジャック（Ｚ）内の装着に伴って、第２電極端子（１１Ｂ）に圧接される。スリーブ体（Ｓ）は、ジャック（Ｚ）内の装着に伴って、第３電極端子（１１Ｃ）内周に当接される。
これにより、プラグ軸体（１）は、ジャック（Ｚ）の第１〜第４電極端子（１１Ａ）〜（１１Ｄ）で保持され、ジャック（Ｚ）を閉塞する。
【００６７】
プラグ軸体（１）において、第１電極（１Ａ）は、ジャック（Ｚ）内の装着に伴って、第１電極端子（１１Ａ）に電気接続され、第２電極（１Ｂ）は第２電極端子（１１Ｂ）に電気接続される。
これにより、発光体（５）において、蓄電素子（６）は、回路基板（５Ｂ）、第１電極（１Ａ）、第２電極（１Ｂ）を通して、ジャック（Ｚ）の第１及び第２電気端子（１１Ａ）、（１１Ｂ）に電気接続される。発光体（５）の発光素子（５Ａ）は、回路基板（５Ｂ）、蓄電素子（６）、第１電極（１Ａ）、第２電極（１Ｂ）を通して、ジャック（Ｚ）の第１及び第２電極端子（１１Ａ）、（１１Ｂ）に電気接続される。
【００６８】
把持体（２）は、プラグ軸体（１）の装着に伴って、閉塞板部（２Ａ）を端末本体（ＹＡ）外側から外装体（Ｙ１）に当接させて、外装体（Ｙ１）のジャック用開口（Ｙｂ）を閉鎖する。このとき、把持体（２）の発光収納部（２Ｂ）は、図８及び図１８に示すように、携帯電話端末（Ｙ）外側に配置され、携帯電話端末（Ｙ）の使用者による視認を可能にする。
発光ダミープラグ（Ｘ３）では、プラグ軸体（１）でジャック（Ｚ）を閉塞し、把持体（２）で外装体（Ｙ１）のジャック用開口（Ｙｂ）を閉鎖するので、未使用ジャック（Ｚ）内又はジャック用開口（Ｙｂ）内に埃、塵及び湿気が侵入して蓄積することを防止できる。
【００６９】
発光ダミープラグ（Ｘ３）を未使用ジャック（Ｚ）内に装着すると、発光体（５）の蓄電素子（６）は、ジャック（Ｚ）の第１及び第２電極端子（１１Ａ）、（１１Ｂ）を通して、携帯電話端末（Ｙ）の電源制御回路、制御装置、蓄電素子（１４）に電気接続される。
携帯電話端末（Ｙ）において、例えば、制御装置は、蓄電素子（１４）の蓄電によって、ジャック（Ｚ）の第１及び第２電極端子（１１Ａ）、（１１Ｂ）間に電圧を印加する。
第１及び第２電極端子（１１Ａ）、（１１Ｂ）間に電圧を印加すると、第２電極端子（１１Ｂ）、第２電極（１Ｂ）、回路基板（５Ｂ）、蓄電素子（６）、発光素子（５Ａ）、第１電極（１Ａ）、第１電極端子（１１Ａ）に電流が通流し、蓄電素子（６）は蓄電し、発光素子（５Ａ）は蓄電素子（６）によって、印加される電圧で発光する。
発光ダミープラグ（Ｘ３）では、プラグ軸体（１）をジャック（Ｚ）内に装着すると、発光素子（５Ａ）を発光でき、携帯電話端末（Ｙ）の使用者は、発光素子（５Ａ）の発光を把持体（２）の発光収納部（５Ｂ）を通して認識する。
発光ダミープラグ（Ｘ３）を携帯電話端末（Ｙ）から取外しても、蓄電素子（６）の蓄電によって、発光体（５）の発光素子（５Ａ）を発光できる。
【００７０】
上記構成の発光ダミープラグ（Ｘ３）によれば、プラグ軸体（１）を携帯電話端末（Ｙ）の未使用ジャック（Ｚ）内に装着することで、未使用ジャック（Ｚ）を閉塞できるので、塵、埃及び湿気が未使用ジャック（Ｚ）内に侵入、蓄積することを防止できる。
携帯電話端末（Ｙ）の蓄電素子（１４）の蓄電を利用して、把持体（２）の蓄電素子（６）に蓄電し、蓄電素子（６）の蓄電によって、発光体（５）の発光素子（５Ａ）を発光できるので、暗闇状態であっても、発光ダミープラグ（Ｘ３）を携帯電話端末（Ｙ）に装着している有無を確認できる。また、発光ダミープラグ（Ｘ３）を携帯電話端末（Ｙ）から取外しても、蓄電素子（６）の蓄電で発光体（５）を発光でき、暗闇状態において、未使用ジャック（Ｚ）内に発光ダミープラグ（Ｚ）を容易に装着できる。
【００７１】
第１乃至第３実施形態の発光ダミープラグ（Ｘ１）、（Ｘ２）、（Ｘ３）では、以下の共通形態１（図１９乃至図２３参照）、共通形態２及び共通形態３を採用できる。なお、図１９乃至図２３において、図１乃至図１８と同一符号は、同一構成、部材を示すので、詳細な説明は省略する。
【００７２】
＜共通形態１＞
図１９乃至図２３において、発光ダミープラグ（Ｘ１）〜（Ｘ３）は、取付体（３１）を備え、取付体（３１）はプラグ軸体（１）及び把持体（２）に一体化され、音声出力器（Ｔ）に取外可能に装着される。
【００７３】
音声出力器（Ｔ）は、図２３に示すように、イヤフォン又はヘッドフォンを含んで構成され、複数のスピーカ体（３２）、（３２）、フォンプラグ（３３）及び配線コード‘３４）を備えてなる。フォンプラグ（３３）は、携帯電話端末（Ｙ）のジャック（Ｚ）内に装着され、携帯電話端末（Ｙ）は音声出力器（Ｔ：以下「イヤフォン（Ｙ）」と称する）に電気接続される。フォンプラグ（３３）は、発光ダミープラグ（Ｘ１）〜（Ｘ３）と同一構成の第１〜第４電極（図示しない）を有し、ジャック（Ｚ）内の装着に伴って、各電極をジャック（Ｚ）の第１〜第４電極端末（１１Ａ）〜（１１Ｄ）に電気接続する。配線コード（３４）は、図２３に示すように、複数のスピーカ体（３２）、（３２）及びフォンプラグ（３３）を電気接続する。
【００７４】
発光ダミープラグ（Ｘ１）〜（Ｘ３）において、取付体（３１）は、図１９に示すように、取付筒部（３１Ａ）及び取付部（３１Ｂ）を含んで構成され、例えば、弾性変形可能な合成樹脂、合成ゴム等で形成される。
取付筒部（３１Ａ）は、図１９に示すように、軸方向（Ｊ）において、プラグ軸体（１）を挿通させる挿通穴（３１ａ）を有し、取付部（３１Ｂ）は、取付筒部（３１Ａ）外周に一体化されている。取付部（３１Ｂ）は、取付穴（３１ｂ）及び取付切欠（３１ｃ）を有し、取付穴（３１ｂ）は、軸方向（Ｊ）において、取付部（３１Ｂ）を貫通している。取付穴（３１ｂ）は、例えば、イヤフォン（Ｙ）の配線コード（３４）を挿通できる直径寸法である。
取付切欠（３１ｃ）は、軸方向（Ｊ）に直交する径方向に延設され、取付穴（３１ｂ）を取付部（３１Ｂ）外側に連通する。取付切欠（３１ｃ）は、軸方向（Ｊ）において、取付穴（３１ｂ）内に開口しつつ取付部（３１）を貫通している。
取付体（３１）の取付部（３１Ｂ）は、取付切欠（３１ｃ）からイヤフォン（Ｔ）の配線コード（３４）を挿入することで、イヤフォン（Ｔ）に取外可能に装着される。
【００７５】
図２０において、取付体（３１）は、発光ダミープラグ（Ｘ１）〜（Ｘ３）に装着される。取付体（３１）の装着は、取付筒部（３１Ａ）内にプラグ軸体（１）を挿通し、取付筒体（３１Ａ）をプラグ軸体（３１）外周に装着する。続いて、取付筒部（３１Ａ）を把持体（２）の閉塞板部（２Ａ）に当接して、プラグ軸体（１）の各電極（１Ａ）〜（１Ｄ）及びジャック（Ｚ）の各電極端子（１１Ａ）〜（１１Ｄ）を電気接続可能にする。
取付体（３１）において、取付筒部（３１Ａ）をプラグ軸体（１）外周に装着すると、取付部（３１Ｂ）は、図２０に示すように、軸方向（Ｊ）に直交する径方向に延設され、取付穴（３１ｂ）及び取付切欠（３１ｃ）を把持体（２）の閉塞板部（２Ａ）外側及び発光収納（２Ｂ）外側に位置する。
これにより、取付体（３１）は、プラグ軸体（１）外周に装着した状態で、イヤフォン（Ｔ）の配線コード（３４）を取付切欠（３１ｃ）から取付穴（３１ｂ）内に挿入でき、発光ダミープラグ（Ｘ１）〜（Ｘ３）は、図２１に示すように、取付体（３１）をプラグ軸体（１）に装着した状態で、ジャック（Ｚ）内に装着して、ジャック（Ｚ）内を閉塞できる。
【００７６】
図２１及び図２２において、発光ダミープラグ（Ｘ１）〜（Ｘ３）を未使用ジャック（Ｚ）内に装着すると、プラグ軸体（１）の各電極（１Ａ）〜（１Ｄ）は、ジャック（Ｚ）の各電極端末（１１Ａ）〜（１１Ｄ）に電気接続され、取付体（３１）の取付筒部（３１Ａ）は、外装体（Ｙ１）のジャック用開口（Ｙｂ）内に挿入されて、電極端子（１１Ｃ）に当接する。これにより、取付体（３１）の取付筒部（３１Ａ）は、ジャック（Ｚ）を閉鎖する。なお、取付筒部（３１）を携帯電話端末（Ｙ）の外装体（Ｙ１）に当接して、ジャック用開口（Ｙｂ）を閉鎖しても良い。
【００７７】
図２３において、発光ダミープラグ（Ｘ１）〜（Ｘ３）を、携帯電話端末（Ｙ）のジャック（Ｚ）から取外し、イヤフォン（Ｙ）のイヤフォンプラグ（３３）をジャック（Ｚ）に装着する。
発光ダミープラグ（Ｘ１）〜（Ｘ３）において、取付部（３１Ｂ）の取付切欠（３１ｃ）にイヤフォン（Ｙ）の配線コード（３４）を挿入する。このとき、取付体（３１）は、弾性変形可能な合成樹脂又は合成ゴム等で形成しているので、取付部（３１Ｂ）において、取付切欠（３１Ｂ）を基点として、取付穴（３１ｂ）を拡径するように弾性変形することで、イヤフォン（Ｙ）の配線コード（３４）を容易に取付穴（３１ｂ）内に挿入できる。
これにより、取付体（３１）は、取付部（３１Ａ）でイヤフォン（Ｙ）の配線コード（３４）に装着され、更に発光ダミープラグ（Ｘ１）〜（Ｘ３）は、図２３に示すように、取付体（３１）でイヤフォン（Ｙ）に装着される。
なお、イヤフォン（Ｙ）の配線コード（３４）を、取付体（３１）の取付穴（３１ｂ）から取付切欠（３１ｃ）を通して取外すことで、発光ダミープラグ（Ｘ１）〜（Ｘ３）をイヤフォン（Ｙ）から取外すことができ、これにより、発光ダミープラグ（Ｘ１）〜（Ｘ３）を直に、未使用ジャック（Ｚ）内に装着できる。
【００７８】
＜共通形態２＞
第１乃至第３実施形態の発光ダミープラグ（Ｘ１）〜（Ｘ３）では、携帯電話端末（Ｙ）の蓄電素子（１４）の蓄電を利用して、発光体（３）、（５）を発光する構成を採用している。発光ダミープラグ（Ｘ１）〜（Ｘ３）では、把持体（２）内に一次電池を取換可能として配置し、一次電池に発光素子（３Ａ）、（５Ａ）を電気接続することで、一次電池で印加される電圧で発光素子（３Ａ）、（５Ａ）を発光する。この構成によれば、携帯電話端末（Ｙ）の蓄電素子（１４）の蓄電を利用することなく、発光素子（３Ａ）、（５Ａ）を発光できる。
【００７９】
＜共通形態３＞
第１乃至第３実施形態の発光ダミープラグ（Ｘ１）〜（Ｘ３）では、発光体（３）、（５）を把持体（２）の発光収納部（２Ｂ）内に収納する構成を採用している。発光ダミープラグ（Ｘ１）〜（Ｘ３）において、発光体（３）、（５）の発光素子（３Ａ）、（５Ａ）を把持体（２）の発光収納部（２Ｂ）外側に配置することも可能である。
【００８０】
なお、発光ダミープラグ（Ｘ１）〜（Ｘ３）、及びジャック（Ｚ）において、電極数及び電極端子数は、第１〜第４電極及び第１〜第４電極端子に限定されず、複数の電極及び電極端子を有すれば良い。
【産業上の利用可能性】
【００８１】
本考案は、携帯端末の未使用ジャックを閉塞して、未使用ジャック内に埃、塵及び湿気の侵入、蓄積を防止するのに好適である。
【符号の説明】
【００８２】
Ｘ１、Ｘ２、Ｘ３  発光ダミープラグ
Ｙ  携帯電話端末（携帯端末）
Ｚ  ジャック
１  プラグ軸体
１Ａ  第１電極
１Ｂ  第２電極
１１Ａ  第１電極端子
１１Ｂ  第２電極端子
２  把持体
３  発光体
５  補助発光体（発光体）
１４  蓄電素子
【図１】
0003170874.tif 000003
【図２】
0003170874.tif 000004
【図３】
0003170874.tif 000005
【図４】
0003170874.tif 000006
【図５】
0003170874.tif 000007
【図６】
0003170874.tif 000008
【図７】
0003170874.tif 000009
【図８】
0003170874.tif 000010
【図９】
0003170874.tif 000011
【図１０】
0003170874.tif 000012
【図１１】
0003170874.tif 000013
【図１２】
0003170874.tif 000014
【図１３】
0003170874.tif 000015
【図１４】
0003170874.tif 000016
【図１５】
0003170874.tif 000017
【図１６】
0003170874.tif 000018
【図１７】
0003170874.tif 000019
【図１８】
0003170874.tif 000020
【図１９】
0003170874.tif 000021
【図２０】
0003170874.tif 000022
【図２１】
0003170874.tif 000023
【図２２】
0003170874.tif 000024
【図２３】
0003170874.tif 000025